(57)【要約】【課題】センターケースの左側に遊技釘を植設する遊技空間を偏らせても、センターケース下方の右側に球を誘導して遊技盤にデッドスペースが生じない遊技機を提供する。【解決手段】センターケースの右側方に遊技球が流下可能な右側遊技球流路を形成し、この右側遊技球流路を流下した球がセンターケース下方右側の第２遊技領域に配置された始動ゲートへ通過可能な位置に誘導される構成とするとともに、大当り或いは小当たりとするか否かによって停止表示態様が異なる第１変動表示ゲームの遊技結果に応じて開閉動作を行う変動入賞装置を前記始動ゲートよりも下方に配置し、遊技者が、センターケースの右側方に球を打ち込むことによって、第２遊技領域の始動ゲートや変動入賞装置を狙うことを可能とする。【選択図】  図１
2010148991.tif 000002
【特許請求の範囲】
【請求項１】
遊技盤前面にセンターケースを取り付け、該センターケースから前方に臨むように表示装置を配設し、前記センターケース下方の第１遊技領域に第１入賞装置を配設した遊技機において、
前記第１入賞装置に、開状態と閉状態とに変換可能な開閉部材を設け、
前記第１入賞装置へ球が入賞したことに基づいて、乱数値を抽出記憶し、
該抽出記憶された乱数値と予め設定された判定値とを比較判定し、該比較判定結果に応じて第１変動表示ゲームの遊技結果を大当りとするか否か、或いは前記大当りよりも発生確率の高い小当たりとするか否かを決定し、
前記比較判定結果に基づいて前記表示装置において第１変動表示ゲームを開始し、前記遊技結果が大当りの場合は特別表示態様を、前記遊技結果が小当りの場合は前記大当りの場合とは異なる小当り表示態様を、当該第１変動表示ゲームの停止表示態様として前記表示装置に表示し、
前記第１遊技領域の右側方に第２遊技領域を設け、該第２遊技領域には、球が通過したことを契機に第２変動表示ゲームを行い、該第２変動表示ゲームの結果が所定の態様となった場合に前記第１入賞装置の開閉部材を所定の態様で開閉動作させる始動ゲートを配置し、
前記センターケースの右側方に、球が流下可能な右側遊技球流路を形成し、
該右側遊技球流路を流下している球は、遊技盤の右側方に配置された前記始動ゲートへ通過可能な位置に誘導され、
前記第１変動表示ゲームの遊技結果に応じて所定態様で開閉動作を行う変動入賞装置を、前記始動ゲートよりも下方に配置したことを特徴とする遊技機。
【発明の詳細な説明】
【技術分野】
【０００１】
本発明は、パチンコ機などの遊技機に関する。
【背景技術】
【０００２】
従来、遊技機としてのパチンコ機においては、遊技盤の前面にセンターケースが取り付けられ、該センターケースを後方に窪ませて背面が遊技盤前面より後方に位置するように凹室を形成し、該凹室から表示器などの遊技装置を臨ませて遊技者に遊技装置によるゲームを見せている。
上記従来の遊技機の中には、特許文献１に開示の遊技機のように、センターケースに遊技盤前面を流下する球を取り入れる入口を形成し、該入口から取り込んだ球を凹室に誘導するように構成し、凹室底部のステージを転動させてから遊技盤の前面に排出し、この排出された球は、ステージの下方の始動入賞口近傍に誘導され、始動入賞口に入賞すると上記遊技装置による遊技（例えば、上記表示器における図柄の変動表示ゲーム）が行われ、遊技者の興趣を高揚させている。
【先行技術文献】
【特許文献】
【０００３】
【特許文献１】特開２０００−５１４４８号公報
【発明の概要】
【発明が解決しようとする課題】
【０００４】
ところで、近時はセンターケースが大型化しており、遊技釘を植設するスペースを確保するために同スペースを遊技盤の左側に偏らせて、右側にセンターケースを偏らせて設けるようにしている。このため、センターケース下方の右側に球が誘導されにくくなっていて、この領域がデッドスペースとなっている。
【０００５】
一般的にセンターケースの凹室上方には、落下する遊技球を左右方向に案内する庇部（鎧部ともいう）が設けられているが、この庇部を切り欠いてセンターケース上方の球を凹室の前方を通してセンターケースの下方に誘導することも考えられるが、この場合には球の落下速度を制御できないため、始動入賞口などの入賞具が破損するといった新たな問題点が生ずる。またこの場合、表示器などの遊技装置の視認性を球が阻害するといった問題もある。
【０００６】
そこで本発明は、センターケースの左側に遊技釘を植設する遊技空間を偏らせて設けるようにしても、センターケース下方の右側に球を誘導することにより遊技盤にデッドスペースを生じさせない遊技機の提供を目的とする。
【課題を解決するための手段】
【０００７】
本願請求項１に記載の遊技機は、遊技盤前面にセンターケースを取り付け、該センターケースから前方に臨むように表示装置を配設し、前記センターケース下方の第１遊技領域に第１入賞装置を配設した遊技機において、
前記第１入賞装置に、開状態と閉状態とに変換可能な開閉部材を設け、
前記第１入賞装置へ球が入賞したことに基づいて、乱数値を抽出記憶し、
該抽出記憶された乱数値と予め設定された判定値とを比較判定し、該比較判定結果に応じて第１変動表示ゲームの遊技結果を大当りとするか否か、或いは前記大当りよりも発生確率の高い小当たりとするか否かを決定し、
前記比較判定結果に基づいて前記表示装置において第１変動表示ゲームを開始し、前記遊技結果が大当りの場合は特別表示態様を、前記遊技結果が小当りの場合は前記大当りの場合とは異なる小当り表示態様を、当該第１変動表示ゲームの停止表示態様として前記表示装置に表示し、
前記第１遊技領域の右側方に第２遊技領域を設け、該第２遊技領域には、球が通過したことを契機に第２変動表示ゲームを行い、該第２変動表示ゲームの結果が所定の態様となった場合に前記第１入賞装置の開閉部材を所定の態様で開閉動作させる始動ゲートを配置し、
前記センターケースの右側方に、球が流下可能な右側遊技球流路を形成し、
該右側遊技球流路を流下している球は、遊技盤の右側方に配置された前記始動ゲートへ通過可能な位置に誘導され、
前記第１変動表示ゲームの遊技結果に応じて所定態様で開閉動作を行う変動入賞装置を、前記始動ゲートよりも下方に配置したことを特徴とする。
【発明の効果】
【０００８】
請求項１に記載の遊技機によれば、センターケースの左側に遊技釘を植設する遊技空間を偏らせて設けるようにしても、その場合に従来ではデッドスペースとなっていたセンターケース下方の右側（即ち、第１遊技領域の右側方の第２遊技領域）に球を誘導することができる。即ち、センターケースの右側方には球が流下可能な右側遊技球流路が形成され、この右側遊技球流路を流下した球は第２遊技領域に配置された始動ゲートへ通過可能な位置に誘導される構成であるとともに、大当り或いは小当たりとするか否かによって停止表示態様が異なる第１変動表示ゲームの遊技結果に応じて所定態様で開閉動作を行う変動入賞装置が前記始動ゲートよりも下方に配置されているため、前記右側遊技球流路を流下した遊技球は前記始動ゲートを通過する可能性があるとともに変動入賞装置に入賞する可能性もある。このため、センターケース下方の右側を第２遊技領域として有効に活用でき、遊技盤にデッドスペースを生じさせないようにして、遊技の興趣を向上できる。また遊技者は、センターケースの右側方に球を打ち込むことによって、第２遊技領域の始動ゲートや変動入賞装置を狙うことが可能となる。
【０００９】
また、変動表示ゲーム開始の契機となるギミック（第１入賞装置と始動ゲート）が並んでいるので、遊技者は遊技のルールを把握しやすい。
【図面の簡単な説明】
【００１０】
【図１】パチンコ機の遊技盤の前面図である。
【図２】センターケースの前面側を右斜め前方から見た斜視図である。
【図３】センターケースの前面側を左斜め前方から見た斜視図である。
【図４】センターケースを前部と後部に分解した斜視図である。
【図５】ケース軸線を含む鉛直方向の平面でセンターケースを破断した断面図である。
【図６】センターケース（第２形態例）の斜視図である。
【発明を実施するための形態】
【００１１】
以下、本発明の実施の形態として、パチンコ機に適用した場合の形態例を、図面を参照して説明する。
（第１形態例）
まず、第１形態例を説明する。
Ａ．遊技盤の全体構成
図１は本形態例のパチンコ機の遊技盤の前面図である。
図１において、符号１は遊技盤であり、前面の略円形領域がガイドレール２で囲まれることにより遊技領域３（後述する第１遊技領域及び第２遊技領域をその一部として含む遊技領域の全体）が形成されている。
遊技盤１の前面には、図１に示すように、アウト球流入口４、センターケース１０、普通電動役物タイプの始動入賞口１１、変動入賞装置１２、一般入賞口１３〜１６、普図表示器１７、普図記憶表示器１８、普図始動ゲート１９、特図表示器２０、特図記憶表示器２１、状態表示器２２，２３、多数の障害釘（図示省略）などが設けられている。また、センターケース１０の右側部には、装飾特図表示器２４（図１等に示す）とラウンド表示部２５（図４に示す）が設けられている。なお、ラウンド表示部２５は、図４に示すように、後述する裏面側ケース３２内であって、凹室隣接空間部１０ｂの後方（隔壁部材５８の板状部５８ａの裏面側）に配置され、透明又は半透明な板状部５８ａを介して前面から透視可能となっている。
【００１２】
センターケース１０は、遊技盤１の略中央から右側にわたって設けられた大型なものとなっている。遊技盤１を構成する基板（いわゆるベニヤ）には、このセンターケース１０をはめ込むためのセンターケース用開口（図示省略）が形成されており、センターケース１０は、このセンターケース用開口にはめ込まれて取り付けられる。
なお本例では、センターケース１０の一側方（この場合、左側）にのみ遊技釘を植設する遊技空間が偏って設けてあり、センターケース１０の他側方（この場合、右側）には、前記遊技空間は存在しない。
このセンターケース１０の詳細構成（装飾特図表示器２４やラウンド表示部２５等を除く）は、後述する。
【００１３】
また、始動入賞口１１は、後述するように特図の始動入賞口として機能する入賞口であり、入賞口としての開口部分の開度を変化させる開閉部材１１ａを有する。この始動入賞口１１は、センターケース１０の中心下方に配置されている。
また、変動入賞装置１２は、後述する大当りになったことを条件として開放される大入賞口１２ａを有する装置である。
【００１４】
次に、普図表示器１７は、いわゆる普図の表示を行う表示器（例えば点滅する複数のランプよりなるもの）である。
また、普図記憶表示器１８は、普図表示器１７の周囲４箇所に設けられた小さなランプよりなり、そのランプの点灯数によって、普図始動ゲート１９を遊技球が通過することにより発生した普図の始動記憶の数（この場合、上限数が４個）を表示するものである。
【００１５】
次に、特図表示器２０は、特図としての数字等を表示可能な７セグメントの表示器であり、始動入賞口１１への入賞により発生した特図の始動記憶に基づいて特図の変動表示を実行するためのものである。
また、特図記憶表示器２１は、特図表示器２０の周囲４箇所に設けられた小さなランプよりなり、そのランプの点灯数によって、始動入賞口１１への入賞により発生した特図の始動記憶の数（この場合、上限数が４個）を表示するものである。
【００１６】
また、状態表示器２２は、特図記憶表示器２１の隣に設けられた２個の小さなランプよりなり、その点灯状態によって、特図の遊技状態を報知する。
また、状態表示器２３は、普図記憶表示器１８の隣に設けられた２個の小さなランプよりなり、その点灯状態によって、普図の遊技状態を報知する。
また、装飾特図表示器２４は、演出又は装飾としての特図（ダミーの特図）の変動表示を行う表示器である。なお、装飾特図表示器２４で表示される特図がダミーの特図であるのに対して、前記特図表示器２０で表示される特図は、いわゆる本特図である。
また、ラウンド表示部２５は、大当りのラウンド数を表示する表示部である。
【００１７】
なお本例の場合、センターケース１０の中央位置（正確には、後述するステージ部３４の左右方向における中央位置）の真下に始動入賞口１１が配置されており、この始動入賞口１１が本発明の第１入賞装置に相当し、この始動入賞口１１及びその近傍を含む領域が本発明の第１遊技領域に相当する。そして、図示省略しているが、上記始動入賞口１１に流入した遊技球が流れる流路には、この遊技球（即ち、始動入賞した遊技球）を検出するセンサが設けられており、このセンサが第２検出器を構成している。
また、普図始動ゲート１９は、センターケース１０の下方であって、始動入賞口１１の右側方に配置されており、この普図始動ゲート１９及びその近傍を含む領域が本発明の第２遊技領域に相当する。そして、図示省略しているが、上記普図始動ゲート１９には、この普図始動ゲート１９を通過する遊技球を検出するセンサが設けられており、このセンサが第１検出器を構成している。
【００１８】
Ｂ．センターケースの構成
次に、本例のセンターケース１０の構成について、図２〜図４を参照して説明する。
なお図２は、センターケースの前面側を右斜め前方から見た斜視図である。図３は、センターケースの前面側を左斜め前方から見た斜視図である。図４は、センターケースを前部と後部に分解した斜視図である。図５は、後述するケース軸線を含む鉛直方向の平面でセンターケースを破断した断面図である。
【００１９】
センターケース１０は、図４に示すように、前面側ケース３１と裏面側ケース３２とを有し、後方に窪んだ全体形状をなしており、内部に略円形の凹室１０ａと凹室隣接空間部１０ｂが形成されたものである。ここで、凹室隣接空間部１０ｂは、凹室１０ａの右側方に、凹室１０ａから右側に張り出すように形成されている。そして、凹室１０ａの右側壁は、図１等に示すように切り欠かれており、これによって流出部１０ｃが形成されている。流出部１０ｃは、凹室１０ａから右方へ、即ち凹室隣接空間部１０ｂへ遊技球を排出可能な開口部である。
なお、凹室１０ａ及び凹室隣接空間部１０ｂの夫々の背面は、遊技盤前面より後方に配設されている。
また本例では、このセンターケース１０の凹室内には、後述する複数の回転体よりなる遊技装置が設けられ、この遊技装置は上記凹室の後方に配設されて、凹室を介して前方に臨むようになされており、遊技者はこの遊技装置内における遊技球の流れを目視することが可能となっている。
また、このセンターケース１０は、前後方向の一つの軸線を中心として主要部品が配置され組み立てられており、以下ではこの軸線をケース軸線という。なお本例では、凹室１０ａの中心にこのケース軸線が位置する。
また、本例の場合の遊技装置は、後述する鎧部３５の切欠き３５ａ，３５ｂから遊技球を受け入れて、受け入れた遊技球を一般入賞とするか又は特定入賞とするかを決する装置である。
【００２０】
ここで、前面側ケース３１は、内側が前後に開口した枠状のものであり、図２等に示すように、その外周には遊技盤１の前面（前記基板の前面）に平行なフランジ部３１ａが形成されている。フランジ部３１ａは、センターケース１０を組み付けた状態において、遊技盤１の前面に接合される薄い板状部（鍔状の部分）である。このフランジ部３１ａの複数箇所には、取付穴３１ｂが形成され、例えばこの取付穴３１ｂに前面から挿入したネジを前記基板にねじ込むことによって、センターケース１０が遊技盤１に固定されている。
【００２１】
また、図４等に示すように、この前面側ケース３１の左側底部（凹室１０ａの底部に相当する部分）には、遊技球が転動可能ないわゆる球見せ用のステージ部３４が形成されている。
ステージ部３４は、ここに流入した遊技球をある程度の確率で第１遊技領域に落下させて始動入賞口１１へ誘導するものである。ステージ部３４は、図２〜４に示すように、正面から見て全体として下に凸の円弧状の転動面３４ａよりなる。この転動面３４ａには、ステージ部３４上に流入した遊技球を前方に流してセンターケース１０の凹室１０ａから下方に排出可能な複数の溝（中央案内溝３４ｂ、左側案内溝３４ｃ、右側案内溝３４ｄ）が形成されている。このうち、中央案内溝３４ｂは、転動面３４ａにおける左右方向中央位置（始動入賞口１１の真上位置）に形成されている。この中央案内溝３４ｂからセンターケース１０の外に排出された遊技球は、始動入賞口１１の真上に向けて落下するため、開閉部材１１ａが閉じている状態（開度が小さい閉状態）であっても、高い確率で始動入賞口１１に入賞する構成となっている。また、左側案内溝３４ｃと右側案内溝３４ｄは、転動面３４ａにおける中央案内溝３４ｂの左右両側にそれぞれ形成されている。これら左側案内溝３４ｃ又は右側案内溝３４ｄからセンターケース１０の外に排出された遊技球は、始動入賞口１１の真上よりも若干左右にずれた位置に向けて落下するため、開閉部材１１ａが前記閉状態であると、始動入賞口１１に入賞する確率は中央案内溝３４ｂよりも格段に低い。但し、開閉部材１１ａが開いている状態（開度が大きい開状態）であると、左側案内溝３４ｃ又は右側案内溝３４ｄからセンターケース１０の外に排出された遊技球は、高い確率で始動入賞口１１に入賞する構成となっている。
【００２２】
なお、ステージ部３４の転動面３４ａの前端縁には、前述したフランジ部３１ａの内縁部（上端部）を上方に延在させることによって、転動球案内壁３１ｃ〜３１ｆが形成されている。このうち、転動球案内壁３１ｃは、左側案内溝３４ｃよりも左側に設けられ、転動面３４ａ上を転動する遊技球が、ここから前方に流れて落下しないように案内する壁である。また、転動球案内壁３１ｄは、左側案内溝３４ｃと中央案内溝３４ｂの間の位置に設けられ、転動面３４ａ上を転動する遊技球がここから前方に流れて落下しないように案内する壁である。また、転動球案内壁３１ｅは、中央案内溝３４ｂと右側案内溝３４ｄの間の位置に設けられ、転動面３４ａ上を転動する遊技球がここから前方に流れて落下しないように案内する壁である。また、転動球案内壁３１ｆは、右側案内溝３４ｄよりも右側に設けられ、転動面３４ａ上を転動する遊技球が、ここから前方に流れて落下しないように案内する壁である。
【００２３】
また、転動面３４ａの前端面の左側（左側案内溝３４ｃの左方から下方の位置）には、ステージ部３４の前方左側に落下した遊技球を始動入賞口１１ａに向けて案内する落下球案内壁３１ｇが形成されている。この落下球案内壁３１ｇは、フランジ部３１ａの前面から前方に突出するように形成された帯板状の壁（その幅方向が前後方向とされた壁）である。この落下球案内壁３１ｇは、その長手方向（遊技盤面に沿った方向）において湾曲して右側に向かって下り傾斜しており、その長手方向における右端が左側案内溝３４ｃの下方付近（始動入賞口１１の左側の開閉部材１１ａの左斜め上方）に位置している。このため、例えば左側案内溝３４ｃの前端から落下する遊技球が、真っ直ぐ下方に落下しないで、左側に斜めに飛び出した場合でも、この遊技球は上記落下球案内壁３１ｇに当ってその上面を右斜め下方に流れて落下することによって、やはり始動入賞口１１の中央よりも若干左側に案内され、開閉部材１１ａが開状態にあれば、高い確率で始動入賞口１１に入賞する構成となっている。
【００２４】
また同様に、転動面３４ａの前端面の右側（右側案内溝３４ｄの右方から下方の位置）には、ステージ部３４の前方右側に落下した遊技球を始動入賞口１１ａに向けて案内する落下球案内壁３１ｈが形成されている。この落下球案内壁３１ｈは、フランジ部３１ａの前面から前方に突出するように形成された帯板状の壁（その幅方向が前後方向とされた壁）である。この落下球案内壁３１ｈは、その長手方向（遊技盤面に沿った方向）において湾曲して左側に向かって下り傾斜しており、その長手方向における左端が右側案内溝３４ｄの下方付近（始動入賞口１１の右側の開閉部材１１ａの右斜め上方）に位置している。このため、例えば右側案内溝３４ｄの前端から落下する遊技球が、真っ直ぐ下方に落下しないで、右側に斜めに飛び出した場合でも、この遊技球は上記落下球案内壁３１ｈに当ってその上面を左斜め下方に流れて落下することによって、やはり始動入賞口１１の中央よりも若干右側に案内され、開閉部材１１ａが開状態にあれば、高い確率で始動入賞口１１に入賞する構成となっている。
【００２５】
また、上記ステージ部３４へは、センターケース１０の左側に形成されたワープ流路（図示省略）を通過した遊技球が流入する構成となっている。即ち、前面側ケース３１の左側壁３１ｉ（凹室１０ａの一側壁に相当する部分）の外面には、遊技盤前面より前方の遊技空間（センターケース１０よりも左側前面の空間）を流下する球を受け入れる入口部３１ｊ（前記ワープ流路の入口）が形成されている。そして、前記左側壁３１ｉの内面には、前記入口部３１ｊから受け入れた球を凹室１０ａ内のステージ部３４上に流入させる流入部３１ｋ（前記ワープ流路の出口）が形成されている。このため、例えばセンターケース１０の上に流下して左に流れ落ちた遊技球が、図示しない障害釘に当って、上記ワープ流路に流入し、ステージ部３４上に流れる構成となっている。
なお、ステージ部３４の転動面３４ａはその前後方向の位置が遊技盤面より奥側に位置しているため、流入部３１ｋの前後方向位置も遊技盤面より奥側に位置している。これに対して、入口部３１ｊは前記遊技空間を流下する球を受け入れるべく遊技盤面より前方に位置している。このため、上記ワープ流路では、例えばその途中で一旦遊技球が前後方向奥側に流れる構成となっている。
また、ステージ部３４上には、このようにワープ流路を経由した遊技球に限られず、例えば障害釘に当って跳ねた遊技球が前面から直接入ってくる構成であってもよい。
【００２６】
また、前記流入部３１ｋの下縁とステージ部３４（即ち、転動面３４ａ）の流入部側端部（この場合、左端部）、及び、ステージ部３４の流出部側端部（この場合、右端部）と流出部１０ｃの下縁１０ｄとは、夫々曲面で接続されている。そして、凹室１０ａ（即ち、ステージ部３４上）に流入した遊技球が、ステージ部３４を経由して前記第１遊技領域へ排出される割合と、後述する樋状部材３１ｍを経由して前記第２遊技領域へ排出される割合とを相対的に所要値に設定するように、下縁１０ｄの高さ（上下方向の位置）が設定されている。
【００２７】
また、図４等に示すように、前面側ケース３１の右側下部（凹室隣接空間部１０ｂの下部に相当する部分）には、前記流出部１０ｃから排出された球（即ちこの場合、ステージ部３４上を右方に勢いよく流れて前記下縁１０ｄを乗り越えた遊技球）が落下する樋状部材３１ｍが形成されている。樋状部材３１ｍは、左方に向けて下り傾斜した帯状の上面（遊技球の転動面）を有する部材であり、その下流端（この場合、左端）は、第２遊技領域排出口３１ｐを介して前記第２遊技領域（普図始動ゲート１９の近傍）に臨ませてある。ここで、第２遊技領域排出口３１ｐは、前後方向の位置が遊技盤面よりも前面側（即ち、遊技盤前面より前方の遊技空間と同じ位置）にあり、正面から見た位置が普図始動ゲート１９の右上位置にある。このため、樋状部材３１ｍ上に落下した遊技球は、この樋状部材３１ｍ上を左に流れ、その下流端から前記第２遊技領域に落ちて、高い確率で普図始動ゲート１９を通過する。
【００２８】
そして、図３等に示すように、上記樋状部材３１ｍは、凹室隣接空間部１０ｂの背面より遊技空間（遊技盤前面より前方の遊技空間）の前面側まで延在しており、凹室隣接空間部１０ｂの下流端には、樋状部材３１ｍ上の流路の前後の幅員を狭めて遊技球を前記第２遊技領域に誘導するための誘導部材３１ｎが設けられている（図３参照）。この場合の誘導部材３１ｎは、樋状部材３１ｍの下流部の上面における背面側に、樋状部材３１ｍと平行に配設された板状部よりなる。また誘導部材３１ｎは、上面から見て、前面側の端縁が左方（樋状部材３１ｍの下流方向）に向かって前側に傾斜している形状となっており、これにより、樋状部材３１ｍ上の流路の前後の幅員を左側にゆくにつれ狭めて遊技球を前記第２遊技領域に（即ち、前記第２遊技領域排出口３１ｐ）誘導する構成となっている。
【００２９】
また図２等に示すように、前面側ケース３１の上辺部には、遊技盤面よりも前方に突出する鎧部３５（庇部）が設けられ、この鎧部３５を部分的に開閉する部材として、可動部材３６，３７が設けられている。鎧部３５は、遊技球がセンターケース１０内に上方から落下しないようにする部分であり、可動部材３６，３７が閉状態にある限り、打ち込まれた遊技球を必ずセンターケース１０の左側又は右側に誘導する。この鎧部３５の頂点の左右両側の位置には、ここに落下する遊技球が流入可能な切欠き３５ａ，３５ｂが形成されている。そして、可動部材３６，３７は、これら切欠き３５ａ，３５ｂに対応する位置にそれぞれ配置され、遊技盤面に沿って図２に矢印で示す方向にスライド可能に支持されて、図示省略された駆動機構によって、各切欠き３５ａ，３５ｂを開放する開状態と、各切欠き３５ａ，３５ｂを閉鎖する閉状態とに動作可能となっている。即ち、可動部材３６，３７は、入賞部に相当する切欠き３５ａ，３５ｂより遊技球を受け入れ可能な開状態と受け入れ不能な閉状態とに変換可能である。
なお図２等では、各可動部材３６，３７が閉状態にある様子を示しており、また図２の矢印は、各可動部材３６，３７が閉状態から開状態に向かう方向を示している。
【００３０】
また、図４等に示すように、前面側ケース３１の右縁部（凹室隣接空間部１０ｂの右側）には、遊技球が１個ずつ流下可能な幅を持つ上下方向の右側遊技球流路３３が形成されている。
この右側遊技球流路３３の上端側は、鎧部３５の右側に連続しており、鎧部３５上を右側に流れた遊技球がこの右側遊技球流路３３内に流下する構成となっている。また、この右側遊技球流路３３の下端側は、樋状部材３１ｍ上の右側に開口しており、この右側遊技球流路３３内を流下した遊技球は、樋状部材３１ｍ上に右側から流下する構成となっている。これにより遊技者は、センターケース１０の右側に遊技球を打ち込む右打ちをすることによって、普図始動ゲート１９を狙うことが可能となる。
また、図４等に示すように、前面側ケース３１の右上部（装飾特図表示器２４の上側）には、特図用鎧部３５ｃが形成されている。この特図用鎧部３５ｃは、装飾特図表示器２４の前方を遊技球が流下して遮ることがないように、装飾特図表示器２４の上方から流下する遊技球を装飾特図表示器２４の左右に流下させるものである。なお、この特図用鎧部３５ｃに案内されて装飾特図表示器２４の左右に流下した遊技球も、右側遊技球流路３３に流入する。
【００３１】
次に、裏面側ケース３２は、前面側ケース３１の後面側に、前面側ケース３１の後面側を覆うように取り付けられる部材である。図５に示すように、この裏面側ケース３２の奥壁中央（概略円形状の周壁の中心軸上の位置）には、円形状開口部３８が形成されている。この円形状開口部３８は、前記ケース軸線を中心として配置される。
なお、この裏面側ケース３２は、図４に示すように、正面から見て概略円形状の側壁を、円形状開口部３８を中心とする外周位置に有し、前面側が開口した箱型の部材である。なお取付状態において、この裏面側ケース３２の側壁は、前面側ケース３１の側壁を後方へ延長するような状態に概略配置される。こうして、前面側ケース３１と裏面側ケース３２は、全体として、内側に後方に窪んだ概略円形状の凹室１０ａを有したセンターケース１０の外形部分を構成している。
【００３２】
そして、図４に示すように、この裏面側ケース３２の右斜め下の側壁３２ａは、部分的に半径方向に張り出した形状となっていて、これによって、この右斜め下位置に比較的広い拡大空間部３２ｂ（後述する特定入賞部３９ｂ，３９ｃを設置できるスペース）が形成されている。
なお、拡大空間部３２ｂは、前述の凹室隣接空間部１０ｂの後方（背部）に位置する。
また、裏面側ケース３２内は、前面側ケース３１内の開口を介して前面から視認可能である。
また、図４に示すように、裏面側ケース３２の奥壁の前面（円形状開口部３８よりも外周側の適宜位置）には、特定入賞部３９ａ，３９ｂ，３９ｃが形成されている。本例の場合、特定入賞部３９ａ（最も上流となる特定入賞部）は、正面から見て円形状開口部３８の左側位置に設けられ、その他の特定入賞部３９ｂ，３９ｃは、正面から見て円形状開口部３８の右斜め下位置（前述の拡大空間部３２ｂの位置）に設けられている。また、特定入賞部３９ｂ，３９ｃのうち、特定入賞部３９ｂは比較的上方に、最も下流となる特定入賞部３９ｃは、その下方に配置されている。
【００３３】
また、図示省略しているが、これら特定入賞部３９ａ，３９ｂ，３９ｃには、それぞれ球検出用のセンサが設けられ、各特定入賞部３９ａ，３９ｂ，３９ｃに流入した遊技球がそれぞれ検出される構成となっている。なお、これらセンサからの検出信号に基づいて発生する賞態様については後述する。
【００３４】
次に、センターケース１０の遊技装置の構成について説明する。
センターケース１０の内部や裏面には、主に、次のような部材が遊技装置の構成要素として設けられている。即ち、図１等に示す第１回転体４５、図１等に示すクリアユニット４６、図４等に示す第２回転体４７、図５に示す奥側外れ球誘導部材４８、図５に示す第３回転体４９、及び図５に示すモータベース５１とが設けられている。
まず、第１回転体４５は、図１や図４に矢印で示すように、正面から見て反時計回りに回転駆動される回転体であり、第１回転体駆動軸５３（図５に示す）の前端に取り付けされている。なお、この第１回転体４５や第１回転体駆動軸５３は、前記ケース軸線を中心として配置され、センターケース１０の裏面に配設されたモータベース５１の第１モータ９１（図５に示す）によって駆動される。
【００３５】
ここで第１回転体４５の外周には、軸直角断面がＬ字型（靴下のような形）の溝であって周面に開口する入賞球保留用凹部５２ｃが形成されている。この入賞球保留用凹部５２ｃの内部寸法は、少なくとも遊技球１個が流入可能な寸法となっている。このような構成によって、入賞球保留用凹部５２ｃの周面側の開口が頂部位置にあるときに、この開口から入った１個の遊技球は、入賞球保留用凹部５２ｃのＬ字型に曲がった奥に落下し、第１回転体本体５２がその後に反時計回りに回転しても、前記開口が最下端位置近傍にくるまで、この入賞球保留用凹部５２ｃから流出しない構成となっている。
また第１回転体駆動軸５３は、前端側が第１回転体４５に回り止めされた状態で取り付けられる。そして、この第１回転体駆動軸５３の後端側は、図５に示すように後方に伸びており、クリアユニット４６や第２回転体４７や第３回転体４９の中心軸線上を貫通してモータベース５１内に達している。この第１回転体駆動軸５３の後端側は、図５に示す軸継ぎ手５５によって、後述する第１モータ９１の出力軸９１ａに連結されている。
なお、図５における符号５３ａ，５３ｂは、第１回転体駆動軸５３（ひいては、第１回転体４５の全体）を自転可能に支持する軸受け（ブッシュ）を示す。
また、第１回転体４５は、透明又は半透明な材料によって構成され、透視可能（透光性有り）となっている。
【００３６】
次に、クリアユニット４６について説明する。
クリアユニット４６は、図５に示すように、第１入賞球誘導部材５６と、第２入賞球誘導部材５７と、隔壁部材５８と、囲繞部材５９とを備える。これら各部材５６〜５９は、全て透明又は半透明な材料によって構成され、透視可能となっている。
ここで、第１入賞球誘導部材５６は、前記ケース軸線を中心として第１回転体４５の周囲を取り囲むように配置される円筒状部５６ａを有する部材であり、隔壁部材５８の中央開口５８ｂに対して前面から取り付けられ、固定状態とされる部材である。この第１入賞球誘導部材５６の円筒状部５６ａの頂点位置には、入賞球誘導部５６ｂが形成されている。入賞球誘導部５６ｂは、可動部材３６，３７が開放状態にある時に、前記切欠き３５ａ，３５ｂ（入賞部）から流入した遊技球を受け入れる部分であり、受け入れられた遊技球は、この入賞球誘導部５６ｂの底部中央に左右に並んで形成された縦方向の誘導穴（図示省略）の何れかに落下する構成となっている。
【００３７】
そして、前記誘導穴には、ここを通過する遊技球を検出する球検出用のセンサ（図示省略）が取り付けられる。また、前記誘導穴の下端側（センサの下流側）は、奥側に向かって曲がっており、後述する誘導流路５７ｄ（図５に示す）に連通している。このため、前記誘導穴に落下した遊技球は後述する誘導流路５７ｄに流入する。
また、円筒状部５６ａの底面には、ここに落下した遊技球を後方に流下させる傾斜面５６ｅ（図５に示す）が形成されている。
【００３８】
また、第２入賞球誘導部材５７は、全体として概略円盤状で中空の部材であり、第１入賞球誘導部材５６の裏面側に配置されて、隔壁部材５８の中央開口５８ｂに対して取り付けられ、固定状態とされる部材である。この第２入賞球誘導部材５７は、中心軸上に前述の第１回転体駆動軸５３が貫通するボス部５７ａ（図５に示す）が形成され、このボス部５７ａの周囲に内筒部５７ｂ（図５に示す）が形成されている。なお図５に示すように、内筒部５７ｂ内には、前述の第１回転体４５の後部がはまり込んで摺動する。またボス部５７ａは、前記ケース軸線を中心として配置される。また、前述の軸受け５３ａは、このボス部５７ａの中心穴にはめ込まれている。
【００３９】
また、前記内筒部５７ｂの周囲には、正面から見て逆Ｕ字状の案内壁５７ｃ（図５に示す）が形成され、この案内壁５７ｃの外周側の空間が、入賞球の誘導流路５７ｄとなっている。そして、この誘導流路５７ｄの頂部は、既述した如く前記誘導穴に連通している。また、この誘導流路５７ｄの頂部に流入した遊技球は、この誘導流路５７ｄ内の左側又は右側に流れ落ちて、最終的に第２入賞球誘導部材５７の底部中央に形成された誘導溝５７ｇ（図５に示す）上に流れる構成となっている。なお、誘導溝５７ｇは底面が後方に向かって傾斜しており、またこの誘導溝５７ｇの後方には第２回転体４７の後述する小径円筒部４７ａの外周（球保持部６２ａ，６２ｂ）の最下端位置が位置する構成とされている。そのため、この誘導溝５７ｇに流れた遊技球は、後方に流れて、その時点で最下端位置にある小径円筒部４７ａの外周の球保持部６２ａ又は６２ｂ内に流入する。
また、前記内筒部５７ｂの頂部位置であって、前記内筒部５７ｂと案内壁５７ｃとの間の位置には、遊技球を後方から前方（第１回転体本体５２の頂部位置に向かう方向）に流下させる前方誘導流路５７ｉ（図５に示す）が形成されている。
【００４０】
また、第２入賞球誘導部材５７の下端（誘導溝５７ｇが形成された部分の下方から前方）には、遊技球を後方に流す傾斜流路（符号省略）を内部に有する特定入賞口５７ｈ（図１等に示す）が形成されている。特定入賞口５７ｈは、第２入賞球誘導部材５７の下端から前方に伸びるように形成されて、その先端が第１回転体４５の最下端位置下方に位置して上面が開口している。このため、前述した第１回転体４５の入賞球保留用凹部５２ｃに入ったまま最下端位置に回転移動してきた遊技球は、図５に示すように、ほぼ確実にこの特定入賞口５７ｈ内に落下する。
なお図５に示すように、特定入賞口５７ｈの下方には、特定入賞口５７ｈに流入した遊技球を検出する非通過型のフラット近接スイッチ５７ｊが配設されている。
【００４１】
次に隔壁部材５８は、センターケース１０内の前面側と後面側を区画する板状部５８ａ（図２や図５等に示す）を有する部材であり、板状部５８ａの周縁部が前面側ケース３１と裏面側ケース３２の間に挟まれた状態で、前面側ケース３１と裏面側ケース３２に対して固定される部材である。なお、前記板状部５８ａは、第２回転体４７等が配置された領域と、前記ステージ部３４や凹室隣接空間部１０ｂとを区画し、ステージ部３４上に流入した遊技球が前記領域に混入しないようにする隔壁として機能する。
また、板状部５８ａの中心には、中央開口５８ｂ（図５に示す）が形成されている。中央開口５８ｂは、第２入賞球誘導部材５７等の部材を位置決めする（取り付け時の案内となる）とともに、これら部材との干渉を避けるための開口であり、詳細構成については説明を省略する。なお中央開口５８ｂは、前記ケース軸線を中心として配置される。
【００４２】
次に囲繞部材５９は、図５に示すように、前面側の小径円筒状部５９ａと後面側の大径円筒状部５９ｂを有する部材であり、隔壁部材５８の中央開口５８ｂに対して裏側から取り付けられ、固定状態とされる部材である。ここで、小径円筒状部５９ａと、大径円筒状部５９ｂと、これらを連結する軸直角壁５９ｅとは、第２回転体４７の外周を取り囲む囲繞壁を構成している。また、この囲繞部材５９（小径円筒状部５９ａや大径円筒状部５９ｂ）は、前記ケース軸線を中心として配置される。
大径円筒状部５９ｂには、二つの特定入賞用開口部が形成されている。これら特定入賞用開口部は、前述した特定入賞部３９ａ，３９ｂにそれぞれ連通する位置に形成され、一方の特定入賞用開口部から流出した遊技球は特定入賞部３９ａに、他方の特定入賞用開口部から流出した遊技球は特定入賞部３９ｂに、それぞれ流入する構成となっている。
【００４３】
また、囲繞部材５９の下端部には、前述の特定入賞口５７ｈの後端に連通する当り球導入部５９ｆ（図５に示す）が形成されている。この当り球導入部５９ｆは、図５に示すように、特定入賞口５７ｈ内を後方に流れた遊技球Ｋを受け入れ、これを大径円筒状部５９ｂ内の最下端位置（即ち、第２回転体４７の後述する大径円筒部４７ｂの最下端位置の球保持部６３）に流す機能を持つ。
また図５に示すように、囲繞部材５９の下端部（当り球導入部５９ｆの両側及び下方）には、外れ球排出部５９ｇが形成されている。外れ球排出部５９ｇは、前述した隔壁部材５８の板状部５８ａの下端中央を覆うように配置されて、板状部５８ａの下端中央の裏面側に、前面側外れ球排出流路６１（図５に示す）を形成する部材である。この前面側外れ球排出流路６１は、前述した第１入賞球誘導部材５６の傾斜面５６ｅを流下した遊技球を受け入れ、これを外れ球（センターケース１０の遊技装置には入賞したが、特定入賞口５７ｈ（特定入賞部３９ａ，３９ｂ，３９ｃ）に入賞しなかった一般入賞球）としてセンターケース１０の下方に排出するものである。なお、図５において符号６１ａは、前面側外れ球排出流路６１から排出される遊技球を検出するセンサを示す。
【００４４】
次に、第２回転体４７について説明する。
第２回転体４７は、図４に示すように、前面側の小径円筒部４７ａと後面側の大径円筒部４７ｂとよりなる円盤状部を有する部材であり、前記ケース軸線を中心として配置されて、自転可能に支持された部材である。そして、図４や図５に示すように、小径円筒部４７ａの外周には、周縁部を切り欠くことにより、前記入賞部（切欠き３５ａ，３５ｂ）より受け入れられた遊技球を保持可能な複数の球保持部６２ａ，６２ｂが一定ピッチで全周に渡って形成されている。また図４や図５に示すように、大径円筒部４７ｂの外周には、周縁部を切り欠くことにより、前記入賞部より受け入れられた遊技球を保持可能な複数の球保持部６３が一定ピッチで全周に渡って形成されている。
ここで、小径円筒部４７ａの外周の球保持部６２ａ，６２ｂのうち、一方の球保持部６２ａは、誘導用球保持部に相当し、後方に壁が有り、底面が前方に向かって遊技球を流すように傾斜している。これに対して、他方の球保持部６２ｂは、一般球保持部に相当し、後方に壁が無く、底面が後方に向かって遊技球を流すように傾斜している。また、球保持部６２ａ，６２ｂは周方向に例えば交互に形成されている。また、大径円筒部４７ｂの外周の球保持部６３は、内面が後方に向かって遊技球を流すように傾斜している。
【００４５】
また図５に示すように、第２回転体４７を構成する前記円盤状部の後面側には、後方に伸びる円筒軸６４が一体的に設けられ、さらにこの円筒軸６４の後端には第２回転体従動ギア６５が固定されている。なお、円筒軸６４と第２回転体従動ギア６５は、第２回転体４７の中心軸線（即ち前記ケース軸線）を中心として設けられていて、前記第１回転体駆動軸５３は、これら円筒軸６４と第２回転体従動ギア６５内を貫通している。なお、前述の軸受け５３ｂは、この第２回転体従動ギア６５の中心穴にはめ込まれている。
【００４６】
なお、円筒軸６４は図示省略した軸受部によって回転可能に支持されており、第２回転体４７全体が他の回転体とは別個に自転可能に支持されている。
また、第２回転体４７は、図４に矢印で示すように、正面から見て時計回りに回転駆動される。
【００４７】
次に、奥側外れ球誘導部材４８について説明する。
奥側外れ球誘導部材４８は、図５に示すように、前面側の小径円筒部４８ａと後面側の大径円筒部４８ｂとよりなる円盤状の部材であり、前記ケース軸線を中心として第２回転体４７の後面側（前述の裏面側ケース３２の円形状開口部３８の内側）に配置され、裏面側ケース３２に固定状態とされる部材である。ここで、小径円筒状部４８ａと、大径円筒状部４８ｂと、これらを連結する軸直角壁４８ｃとは、第２回転体４７の外周を取り囲む囲繞壁を構成している。
【００４８】
そして、前記小径円筒部４８ａの内周側には、第２回転体４７の球保持部６２ｂ内に保持された遊技球が、頂点位置に来るまでに、この遊技球を受け入れて前記外れ球（一般入賞球）として流下させる奥側外れ球誘導流路６９が形成されている。
また、前記奥側外れ球誘導流路６９の下端位置には、奥側外れ球誘導流路６９を流下した遊技球を受け入れて当該奥側外れ球誘導部材４８の下部後方に排出する奥側外れ球排出口（図示省略）が形成されている。
【００４９】
また、この奥側外れ球誘導部材４８の外周における前述の特定入賞部３９ｃに対応する位置には、前述の球保持部６３に保持された遊技球を特定入賞部３９ｃに向けて流出させる開口部としての特定入賞用切欠き（図示省略）が形成されている。この特定入賞用切欠きは、大径円筒部４８ｂと軸直角壁４８ｃに形成されている。そして、球保持部６３に保持された遊技球が、この特定入賞用切欠きの位置にくると、後方に向けて流れてこの特定入賞用切欠き内に流入し、さらに後述する回転壁７４によってこの特定入賞用切欠きが開放状態になっていると、この特定入賞用切欠きから半径方向外側に遊技球が流れて、前述の特定入賞部３９ｃに流入して入賞する構成となっている。
なお、上記特定入賞用切欠き内の空間は、待機空間として機能する。即ち、上記特定入賞用切欠きの外周側が後述する回転壁７４によって閉鎖された閉鎖状態であったとしても、前記遊技球が前記球保持部６３から必ず流出して、開放状態となるまで一時的に前記遊技球が上記切欠き７１内に待機する。
また、奥側外れ球誘導部材４８は、透明又は半透明な材料によって構成され、透光性を有する。
【００５０】
次に、第３回転体４９について説明する。
第３回転体４９は、図５に示すように、円盤状部４９ａからなる部材であり、前記ケース軸線を中心として奥側外れ球誘導部材４８の後面側に自転可能に配置される。円盤状部４９ａの外周部には、後方に突出する円筒状部４９ｂが形成され、この円筒状部４９ｂの内周面には、後述する第３回転体駆動ギア（図示省略）が噛み合う内歯４９ｃ（図５に示す）が全周に渡って形成されている。また、円盤状部４９ａの中心には、前面側に突出する円筒状ボス４９ｄ（図５に示す）が形成されている。この円筒状ボス４９ｄは、図５に示すように、前述の奥側外れ球誘導部材４８の中心に形成された円筒状ボス６８の内周側に回転可能に取り付けられ、これによって第３回転体４９が前記ケース軸線を中心として他の回転体とは別個に自転可能となっている。
【００５１】
また、円盤状部４９ａの外周３箇所の位置には、回転壁７４（図５に示す）が固定される。この回転壁７４は、円盤状部４９ａの外周３箇所の位置から前方に伸びる断面円弧状の板状部分であり、前記大径円筒状部５９ｂと大径円筒部４８ｂ（囲繞壁）に沿って回転する。
【００５２】
なお図５に示すように、回転壁７４は、前述の裏面側ケース３２の円形状開口部３８の内側を貫通している。
また、回転壁７４は、前記大径円筒状部５９ｂと大径円筒部４８ｂ（囲繞壁）に沿って回転することによって、第２回転体４７の球保持部６３に保持された遊技球を流出させる開口部（前述の特定入賞用開口部や特定入賞用切欠き）を閉鎖する閉鎖状態とこれら開口部を開放する開放状態とに変換する。
また、第３回転体４９（回転壁７４を除く）は、透明又は半透明な材料によって構成され、透光性を有する。
【００５３】
次に、モータベース５１について説明する。
モータベース５１は、前面が開口した円筒状箱型のケース部（符号省略）を三つ有し、裏面側ケース３２に固定状態とされる部材である。このモータベース５１の各ケース部後面側には、第１モータ９１、第２モータ９２、第３モータ（図示省略）がそれぞれ取り付けられる。
ここで、第１モータ９１の出力軸９１ａは、前記ケース軸線を中心として配置され、既述したように軸継ぎ手５５によって第１回転体駆動軸５３の後端に連結され、この第１モータ９１の作動によって、第１回転体駆動軸５３を含む第１回転体４５が回転する構成となっている。
【００５４】
また図５に示すように、第２モータ９２の出力軸９２ａには、前記第２回転体従動ギア６５と噛み合う第２回転体駆動ギア８４が固定され、この第２モータ９２の作動によって、第２回転体従動ギア６５を含む第２回転体４７が回転する構成となっている。
また図示省略しているが、第３モータの出力軸には、前述の内歯４９ｃと噛み合う第３回転体駆動ギアが固定され、この第３モータの作動によって、第３回転体４９が回転する構成となっている。
【００５５】
また図示省略しているが、第１モータ９１の出力軸９１ａの側方には、光学式の位置検出センサが設けられている。この位置検出センサは、軸継ぎ手５５の後面に形成された突起９５（図５に示す）の通過を検出するもので、この突起９５が前記位置検出センサの検出部に進入すると前記位置検出センサの検出信号が立ち上がるか又は立ち下がる。そして、第１回転体４５の前記入賞球保留用凹部５２ｃが頂点位置にくると、突起９５が前記位置検出センサの検出部に進入する設定となっている。また、図示省略した本パチンコ機の制御装置は、この検出信号の立ち上がり又は立ち下りを読み取ると、第１モータ９１を所定時間停止して、第１回転体４５をこの位置（入賞球保留用凹部５２ｃが頂点にくる位置）に所定時間保持する構成となっている。
なお、モータベース５１は、透明又は半透明な材料によって構成され、透光性を有する。
【００５６】
Ｃ．遊技装置内の遊技球の流れ
次に、本例のセンターケース１０の遊技装置内における遊技球の流れや、そのための制御や各部材の動作について説明する。
まず、図示省略した制御装置は、第１回転体４５については、正面から見て常に反時計回りに例えば約２秒／周の周期で回転させ、既述したように、前記入賞球保留用凹部５２ｃが頂点位置にきた時には、所定時間だけ第１回転体４５の回転を停止させ、所定時間が経過するとまた同方向に回転させる制御を継続する。なお、このように入賞球保留用凹部５２ｃを頂点位置で停止させる制御は、所定の条件（例えば、特定の遊技状態になったこと）が成立したときのみ実行する態様でもよい。
また、第２回転体４７（案内回転体）と第３回転体４９については、何れも同方向（この場合、正面から見て常に時計回り）に回転させる。但し、各回転体４７，４９の回転周期は同一ではなく、異なる回転周期で回転させる。例えば、第２回転体４７は約７秒／周の周期で回転させ、第３回転体４９は、約５秒／周の周期で回転させる。このように異なる回転周期で回転させることによって、相対位置が変化し、回転壁７４による開閉動作（前記閉鎖状態と開放状態の切換え）が実現される。
【００５７】
そして、開放された入賞部（可動部材３６，３７により開放された切欠き３５ａ，３５ｂ）から流入した遊技球は、第１入賞球誘導部材５６の入賞球誘導部５６ｂに受け入れられ、前述の誘導穴の何れかに落下する。次いで、第２入賞球誘導部材５７の誘導流路５７ｄの頂部に流入する。そして、誘導流路５７ｄの頂部に流入した遊技球は、この誘導流路５７ｄ内の左側又は右側に流れ落ちて、最終的に第２入賞球誘導部材５７の底部中央に形成された誘導溝５７ｇ上に流れる。この誘導溝５７ｇに流れた遊技球は、後方に流れて、その時点で最下端位置にある第２回転体４７の小径円筒部４７ａの球保持部６２ａ又は６２ｂ内に流入する。
【００５８】
次に、球保持部６２ａ又は６２ｂ内に流入した遊技球は、この球保持部６２ａ又は６２ｂ内に保持されて第２回転体４７の回転に伴って頂部に向かって移送され、頂部を通過する前に前方又は後方に流れ落ちる。即ち、球保持部６２ａに保持された遊技球の場合には、頂部に到達した時に、前方に向かって流下する。一方、球保持部６２ｂに保持された遊技球の場合には、頂部に到達するまでに後方に流下する。
そして、球保持部６２ｂから後方に流下した遊技球は、奥側外れ球誘導部材４８の奥側外れ球誘導流路６９を流下して奥側外れ球排出口（図示省略）に到達し、ここを経由してセンターケース１０の下方に排出される。
【００５９】
一方、球保持部６２ａから前方に流下した遊技球は、第２入賞球誘導部材５７の前方誘導流路５７ｉを経由して第１回転体４５の頂部位置に落下し、この時点で入賞球保留用凹部５２ｃの開口が図２のように頂部位置にあれば、入賞球保留用凹部５２ｃ内に入り、そうでなければ、第１回転体４５の周囲を落下する。
なお、こうして第１回転体４５の周囲を落下した遊技球は、第１入賞球誘導部材５６の底面に形成された傾斜面５６ｅ上を後方に流れ、前面側外れ球排出流路６１を経由してセンターケース１０の下方に排出される。
【００６０】
そして、入賞球保留用凹部５２ｃ内に入った遊技球は、第１回転体４５の回転に伴って下方に移送され、最下端位置にきた時に入賞球保留用凹部５２ｃから排出されて、図５に示すように、第２入賞球誘導部材５７の特定入賞口５７ｈ内にほぼ確実に落下する。なお、特定入賞口５７ｈ内に落下しなかった遊技球は、前述の傾斜面５６ｅや前面側外れ球排出流路６１を経由してセンターケース１０の下方に排出される。
次に、特定入賞口５７ｈ内に落下した遊技球Ｋは、図５に矢印で示すように、囲繞部材５９の当り球導入部５９ｆを経由して、第２回転体４７の大径円筒部４７ｂの最下端位置に流れ、球保持部６３内に入る。
次いで、球保持部６３内に流入した遊技球は、この球保持部６３内に保持されて第２回転体４７の回転に伴って移送される。
【００６１】
そして、球保持部６３内に保持されて移送される遊技球は、まず囲繞部材５９の１番目の特定入賞用開口部の位置にきた時に、この特定入賞用開口部が開放状態にあれば、この特定入賞用開口部から流出して１番目の特定入賞部３９ａに流入する。なお、こうして特定入賞部３９ａに入賞した遊技球は、図示省略した排出流路を経由してセンターケース外に排出される。
また、１番目の特定入賞用開口部から流出せずに、さらに球保持部６３内に保持されて移送された遊技球は、次に２番目の特定入賞用開口部の位置にきた時に、この特定入賞用開口部が開放状態にあれば、この特定入賞用開口部から流出して２番目の特定入賞部３９ｂに流入する。
また、２番目の特定入賞用開口部から流出せずに、さらに球保持部６３内に保持されて移送された遊技球は、次に３番目の開口部（特定入賞用切欠き）の位置にきた時に、この特定入賞用切欠き内に流入し、この特定入賞用切欠きが開放状態にあれば、この特定入賞用切欠きから流出して３番目の特定入賞部３９ｃに流入する。
【００６２】
ここで、上記遊技球が３番目の特定入賞用切欠きの位置にきた時には、この特定入賞用切欠きが閉鎖状態にあった場合でも、当該遊技球を保持する球保持部６３の球載置面が後方に下り傾斜しているため、当該遊技球は球保持部６３から上記特定入賞用切欠き内（待機空間内）に流出し、その後にこの特定入賞用切欠きが開放状態になった時に、特定入賞部３９ｃに流入する。このため、球保持部６３に保持されて移送される遊技球は、第２回転体４７が１回転するうちに、必ず何れかの特定入賞部への入賞を確定させる。
また、特定入賞部３９ｂや３９ｃに入賞した遊技球は、図示省略した排出流路を経由してセンターケース外に排出される。
【００６３】
Ｄ．ワープ流路からの遊技球の流れ
次に、ワープ流路からセンターケース１０内に流入した遊技球の流れについて説明する。
前述した入口部３１ｊに流入して流入部３１ｋから流出した遊技球は、まず、ステージ部３４の転動面３４ａ上を左端側から基本的に右方に向かって流れる。そして、この遊技球の右方に流れる勢いが、流出部１０ｃの下縁１０ｄを乗り越えるのに不足していると、遊技球は、転動面３４ａ上を左右に行ったり来たりする動作を場合によっては複数回繰り返した後、転動面３４ａに形成された複数の溝（中央案内溝３４ｂ、左側案内溝３４ｃ、右側案内溝３４ｄ）のうちの何れか一つから前方側に流れ、センターケース１０の中央下方の遊技空間（即ち、始動入賞口１１が位置する第１遊技領域）に落下する。なお、既述したように、中央案内溝３４ｂから流下すれば、開閉部材１１ａが閉じている状態であっても、高い確率で始動入賞口１１に入賞する。
【００６４】
ところが、流入部３１ｋから流出した遊技球の右方に流れる勢いが十分強いと、その遊技球は転動面３４ａの中央を左から右に通過し、さらに転動面３４ａの右端側を右方に流れて、流出部１０ｃの下縁１０ｄを乗り越え、流出部１０ｃから凹室隣接空間部１０ｂ内に流入し、樋状部材３１ｍ上に落下する。次いでこの遊技球は、樋状部材３１ｍ上を左方に流れ落ち、その下流端から第２遊技領域排出口３１ｐを経由してセンターケース１０の右側下方の遊技空間（即ち、普図始動ゲート１９が位置する第２遊技領域）に落下し、相当の確率で普図始動ゲート１９を通過する。この際、誘導部材３１ｎは、樋状部材３１ｍ上の奥側を流れる遊技球に当接して、これを手前側斜め方向に流して樋状部材３１ｍの下流端（即ち、第２遊技領域排出口３１ｐ）に案内する作用を発揮する。というのは、樋状部材３１ｍは、前後方向において、遊技盤面よりも奥側（凹室隣接空間部１０ｂの背面）から遊技盤面の前方（遊技盤面前方の遊技空間の位置）まで延在しているのに対して、第２遊技領域排出口３１ｐは、遊技盤面よりも奥側には延在していない。このため、誘導部材３１ｎがないと、この前後方向寸法の違いにより生じる段部に樋状部材３１ｍの奥側を流れる遊技球が当接して滞留する恐れがある。しかし本例では、誘導部材３１ｎの作用によって、樋状部材３１ｍ上の奥側を流れる遊技球も、円滑に第２遊技領域排出口３１ｐから第２遊技領域に流れ落ちることができる。また、誘導部材３１ｎに沿って遊技球が斜めに流れることによって遊技球の勢いが抑制される。
【００６５】
なお本例では、前述の右側遊技球流路３３を流下した遊技球も、樋状部材３１ｍ上を流れて第２遊技領域排出口３１ｐから第２遊技領域に流れ落ちる。このため、既述したように、いわゆる右打ちによっても遊技者は普図始動ゲート１９を狙うことができる。
【００６６】
Ｅ．遊技の概要
次に、本形態例のパチンコ機で行われる遊技の概要や遊技の流れについて説明する。
まず、遊技開始当初の時点（或は遊技開始前の時点）では、特図表示器２０には所要の停止図柄が表示され、装飾特図表示器２４は所要の客待ち画面が表示される。
ガイドレール２を介して遊技領域３に打込まれた遊技球が、始動入賞口１１に入賞すると（即ち、特図の始動入賞があると）、特図表示器２０や装飾特図表示器２４において特図の変動表示が行われて、変動表示ゲームが行われる。
【００６７】
そして、この変動表示ゲームの停止表示態様（変動表示により導出された特図表示器２０の本特図）が特別表示態様（例えば、「７」）であれば、大当りと呼ばれる特典が遊技者に付与される。また、前記停止表示態様が他の特別表示態様（例えば、「３」）であれば、小当たりと呼ばれる特典が付与される。なお制御上は、例えば始動入賞があったことを条件として、当り乱数の値が抽出記憶されて、この抽出記憶された乱数値と予め設定された判定値とが判定時に比較判定され、この比較判定結果に基づいて、予め大当りとするか否か、或いは小当たりとするか否かが決定され、この決定に応じて前記変動表示ゲームが開始される。
なお、上記変動表示ゲームによって大当りとなる確率は低く、これに対して小当たりとなる確率は高く設定されている。
【００６８】
上記小当たりになると、可動部材３６，３７を所定時間だけ開状態として切欠き３５ａ，３５ｂを開放する動作が所定回数実行される小当たり遊技状態（補助遊技状態）に移行する。そして、この小当たり遊技状態中にセンターケース１０の遊技装置内に前述した如く入賞した遊技球が、前述したような経路を経て、特定入賞口５７ｈ（特定入賞部３９ａ，３９ｂ，３９ｃの何れか）に入賞すると、大当りとなる。
なお以下では、この大当りになった状態を、大当り状態或いは特別遊技状態という。
【００６９】
前記大当り状態（特図の変動表示ゲームの結果として大当りになる場合含む）になると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば入賞の種類に応じて設定されたラウンド数まで行われる。例えば、１番目の特定入賞部３９ａに入賞して大当りとなった場合には１ラウンドまで、２番目の特定入賞部３９ｂに入賞して大当りとなった場合には７ラウンドまで、３番目の特定入賞部３９ｃに入賞して大当りとなった場合には１５ラウンドまで実行される。また、前記変動表示ゲームの結果として大当りとなった場合には、例えば１５ラウンドまで上記開放動作が実行される。
【００７０】
また、前記特図の変動表示ゲーム中又は大当り中或いは小当たり中に、始動入賞口１１にさらに遊技球が入賞したときには、この場合特図記憶表示器２１で特図始動記憶表示が行われて例えば４個まで記憶され、変動表示ゲーム又は大当り或いは小当たりが終了した後に、その記憶（即ち、始動記憶）に基づいて前記特図の変動表示ゲームが繰り返される。
例えば、変動表示ゲームが大当たり又は小当たりで終了すれば大当たり又は小当たり状態に移行し、小当たり遊技で大当りになれば大当り状態に移行し、小当たり遊技や変動表示ゲームがはずれで終了し始動記憶があれば再度変動表示ゲームが実行され、大当たりが終了して始動記憶があれば再度変動表示ゲームが実行される。
【００７１】
一方、遊技中に、遊技球が普図始動ゲート１９を通過したときは、普図表示器１７での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞し易くなり、その分、特図の変動表示ゲームの実施回数が増えて大当り又は小当たりになる可能性が増す。
また、前記普図の変動表示ゲーム中に、普図始動ゲート１９にさらに遊技球が入賞したときには、普図記憶表示器１８で普図始動記憶表示が実行されてこの場合４個まで記憶され、普図の変動表示ゲームの終了後に、その記憶に基づいて前記普図の変動表示ゲームが繰り返される。
【００７２】
以上説明した本例の遊技機では、既述したように、センターケース１０の遊技装置内に流入（入賞）した遊技球が、運が良ければ第２回転体４７の小径円筒部４７ａの球保持部６２ａを経て、第１回転体本体５２の入賞球保留用凹部５２ｃに流入し、次いで特定入賞口５７ｈに流入して、第２回転体４７の大径円筒部４７ｂの球保持部６３にたどり着き、この第２回転体４７の移送によって、特賞態様（大当り）の内容（この場合、大当りラウンド数）が異なる複数の特定入賞部の何れかに入賞するという、興趣の高い小当たり遊技（補助遊技）が実行される。
そして本例の遊技機によれば、センターケース１０の一側方（左側）に遊技釘を植設する遊技空間を偏らせて設けるようにした構成にもかかわらず、その場合に従来ではデッドスペースとなっていたセンターケース下方の他側方（即ち、第１遊技領域の他側方の第２遊技領域）に球を誘導することができる。即ち、入口部３１ｊと流入部３１ｋを経由してセンターケース１０内の凹室１０ａに遊技空間から流入した遊技球は、場合によっては、流出部１０ｃを経由して凹室隣接空間部１０ｂに流入し、さらに凹室隣接空間部１０ｂの樋状部材３１ｍ上を流れて第２遊技領域に流下し、第２遊技領域の第２入賞装置（普図始動ゲート１９）に入賞する可能性がある。また既述したように、右打ちされた遊技球も右側遊技球流路３３と樋状部材３１ｍを経由して第２遊技領域に流下する。このため、センターケース下方の他側方（右側）を第２遊技領域として有効に活用でき、遊技盤１の遊技領域３内にデッドスペースを生じさせないようにして、遊技の興趣を向上できる。
【００７３】
また、流出部１０ｃから他側方へ向かって勢いが付いた状態で落下する球を樋状部材３１ｍが一側方へ方向転換して第２遊技領域に誘導するので、第２入賞装置（普図始動ゲート１９）に衝突する球の勢いを弱めることができ、入賞具（普図始動ゲート１９を構成する部材）の破損を防止できる。
また、凹室１０ａの背面を遊技盤前面より後方に配設したので、ステージ部３４における球の転動の自由度が増し、興趣が高い。また、凹室隣接空間部１０ｂの下流端には、樋状部材３１ｍの前後の幅員を狭めて球を第２遊技領域に誘導するための誘導部材３１ｎを設けたので、樋状部材３１ｍの傾斜によって加速した球の速度を凹室隣接空間部１０ｂの下流端において減衰でき、より効果的に入賞具の破損を防止できるとともに、第２遊技領域に遊技球を円滑に流すことができる。
【００７４】
また、流出部１０ｃの下縁１０ｄの高さの設定により、凹室１０ａに流入した球が第１遊技領域へ排出される割合と第２遊技領域へ排出される割合とを相対的に設定可能としたので、第１入賞装置（始動入賞口１１）及び第２入賞装置（普図始動ゲート１９）の夫々への球の入賞率を相対的に調整することが簡単にできる。
また、遊技装置を作動させるためのギミック（第１入賞装置と第２入賞装置）が並んでいるので、遊技者は遊技のルールを把握しやすいという効果もある。
【００７５】
（第２形態例）
次に、第２形態例を図６によって説明する。図６は、本例のセンターケースの分解斜視図である。
本形態例は、前記第１形態例の遊技装置の代わりに表示装置１００を設けた例である。本例のセンターケースは、第１形態例と略同様の前面側ケース３１よりなり、この前面側ケース３１内の凹室１０ａの後方に表示装置１００を設け、表示装置１００の表示面が凹室１０ａを介して前方に臨むようにしている。表示装置１００は、例えば液晶表示装置よりなり、ダミーの特図の変動表示などを行う。
本発明は、本例のように表示装置を遊技装置としてセンターケースに備える遊技機であっても、同様の効果を奏することができる。
【００７６】
なお、本発明は上述した形態例に限られず、各種の変形や応用があり得る。
例えば、前記第１形態例における樋状部材３１ｍは、右方に向かって下り傾斜し、この樋状部材３１ｍの下流端の下方に普図始動ゲート１９（第２入賞装置）を配置した構成としてもよい。但しこの場合には、樋状部材３１ｍから落下する遊技球の勢いが強くなり、この遊技球が衝突して普図始動ゲート１９が破損する可能性が比較的高くなってしまう。また、普図始動ゲート１９を遊技領域３の下部右端に寄せて配置することが必要となるため、配置が困難になり、例えばステージ部３４や樋状部材３１ｍの長さをその分だけ短くする必要が生じるなど、不利な面がある。その点、前記第１形態例が優れている。
また、前記第１形態例において、センターケース１０内において流れたり保持されたり移送される遊技球を、遊技者がより見易くなるように、またこの遊技球の状態を演出するために、例えばセンターケース１０の裏面から光を照射し、この光の点灯状態や色を各種制御するようにしてもよい。
【００７７】
また、今回開示された実施の形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【符号の説明】
【００７８】
１  遊技盤
３  遊技領域
１０  センターケース
１０ａ  凹室
１０ｂ  凹室隣接空間部
１０ｃ  流出部
１０ｄ  流出部の下縁
１１  始動入賞口（第１入賞装置）
１１ａ  開閉部材
１９  普図始動ゲート（始動ゲート）
３１  前面側ケース
３１ｊ  入口部
３１ｋ  流入部
３１ｍ  樋状部材
３１ｎ  誘導部材
３２  裏面側ケース
３４  ステージ部
１００  表示装置
【図１】
2010148991.tif 000003
【図２】
2010148991.tif 000004
【図３】
2010148991.tif 000005
【図４】
2010148991.tif 000006
【図５】
2010148991.tif 000007
【図６】
2010148991.tif 000008